(57)【要約】      （修正有）【課題】下向きになっているリップ溝形鋼の背面（上面）側に電源用ケーブル等の長尺物を容易に取付けできる取付け具を得る。【解決手段】帯状の鋼板材により、下方に延びる脚片１４と、該脚片１４の上端部に下方に向かって反転湾曲した後、一側方に延びる腕片１８とを形成するとともに、前記脚片１４の下端部に該下端部の一部を裂いて一側方に突出させた係合爪１５を形成し、前記腕片１８の一部に長尺物３０の少なくとも上面外周に沿って湾曲させた保持部１９を形成する。【選択図】        図１
2004270706.tif 000002
【特許請求の範囲】
【請求項１】
帯状の鋼板材により、下方に延びる脚片（１４）と、該脚片（１４）の上端部に下方に向かって反転湾曲した後、一側方に延びる腕片（１８）とを形成するとともに、前記脚片（１４）の下端部に該下端部の一部を裂いて一側方に突出させた係合爪（１５）を形成し、前記腕片（１８）の一部に長尺物（３０）の少なくとも上面外周に沿って湾曲させた保持部（１９）を形成したことを特徴とする建物の長尺物取付け具。
【請求項２】
保持部（１９）は腕片（１８）の外端部を脚片（１４）方向に向けて円状に湾曲させたことを特徴とする請求項１記載の建物の長尺物取付け具。
【発明の詳細な説明】
【０００１】
【発明の属する技術分野】
本発明は、例えば、建物内で下向きかつ水平配置されたリップ溝形鋼の背面に、電源用ケーブルあるいは配管等の長尺物を係止する建物の長尺物取付け具に関するものである。
【０００２】
【従来の技術】
従来の技術として、図５、図６に示すものがあった。図５において、１はリップ溝形鋼用の取付け具であり、帯状の鋼板材（ステンレス鋼板）を上開きの枠状に屈曲させてなる。即ち、左右に延びる底辺２の左右端部を上方に屈曲させて左辺３及び右辺５を形成し、左辺３は底辺２対して直角に上方に起立させるとともに、その上端部に右方に向かって直角に屈曲する短尺な当て片４を形成する。また、上記右辺５は上記左辺３よりも高くするとともに底辺２対して若干左方に傾斜させ、その上端部に緩やかに湾曲して左方に延びる上辺６を形成し、該上辺６の左端部を上向きに湾曲させて操作片７を形成する。この操作片７には、ドライバ等の工具が嵌合係止する操作孔７ａが形成されている。
【０００３】
図６は上記取付け具１を介してリップ溝形鋼８に電源用のケーブル９を取り付けたものである。図８において、８は建物の鉄骨支柱に取付けられた外壁支持用のリップ溝形鋼である。このリップ溝形鋼８は、内部に塵埃、鼠の糞等が体積するのを防止するため、近年は下向き配置して鉄骨支柱に取り付けられている。このリップ溝形鋼８に電源用のケーブル９を取り付ける際には、該ケーブル９を上記リップ溝形鋼８の長手方向に延長させて該リップ溝形鋼８の左部（又は右部）のリップ辺８ａの上面に載置し、このケーブル９を前述した取付け具１により所定ピッチでリップ辺８ａに係止する。
【０００４】
即ち、前述した取付け具１を上記リップ溝形鋼８の左部のリップ辺８ａに下から嵌合させ、その当て片４を上記リップ溝形鋼８の左辺８ｂの外面に当接させる。次いで、ドライバ等の工具を取付け具１の操作片７の操作孔７ａに係合させ、操作片７を介して上記取付け具１の上辺６を上方に弾性変形させて上記ケーブル９に嵌合させた後、該上辺６を弾性復帰させて上記ケーブル９をリップ辺８ａの上面に押圧固定する。
【０００５】
【発明が解決しようとする課題】
上記従来のものは、長尺物９をリップ溝形鋼８の開口側、即ち、小幅なリップ辺８ａの内側に載置し、これを前述した取付け具１によりリップ辺８ａに所定ピッチで止めるようにしていたため、各取付け具１間に位置する長尺物９がリップ辺８ａから外れて垂れ易く、安全性が乏しくなる。本発明は上記不具合を解消した新規な建物の長尺物取付け具を得ることを目的とする。
【０００６】
【課題を解決するための手段】
本発明は、上記目的を達成するために以下の如く構成したものである。即ち、請求項１に係る発明は、帯状の鋼板材により、下方に延びる脚片と、該脚片の上端部に下方に向かって反転湾曲した後、一側方に延びる腕片とを形成するとともに、前記脚片の下端部に該下端部の一部を裂いて一側方に突出させた係合爪を形成し、前記腕片の一部にケーブルの少なくとも上面外周に沿って湾曲させた保持部を形成する構成にしたものである。
また、請求項２に係る発明は、上記保持部は腕片の外端部を脚片方向に向けて円状に湾曲させるようにしたものである。
【０００７】
【発明の実施の形態】
以下、本発明の実施の形態を図面に基いて説明する。図面において、図１は本発明の第１実施例による取付け具の使用状態を示す一部断面正面図、図２は本発明の第１実施例による取付け具の斜視図、図３は本発明の第２実施例による取付け具の使用状態を示す一部断面正面図、図４は本発明の第２実施例による取付け具の斜視図である。
【０００８】
図１において、１０は建物の外壁、１１は外壁１０を支持するリップ溝形鋼であり、下向きにかつ水平に配置されて鉄骨支柱の側面に上下に所定の間隔をおいて固定されている。このリップ溝形鋼１１は、背辺１１ａの両側から下方に屈曲する側辺１１ｂ，１１ｂ、該側辺１１ｂ，１１ｂの下端から内方に屈曲する小幅なリップ辺１１ｃ、１１ｃを有してなり、該リップ溝形鋼１１の背辺１１ａに取付け具１３を介して電源用ケーブル・配管等の長尺物３０を係止する。
【０００９】
上記取付け具１３は帯状の鋼板材により、図１、図２に示すように形成されている。即ち、下方に延びる脚片１４の上端部に下方に向かって反転湾曲するばね部１７、該ばね部１７から右方（一側方）に延びる腕片１８を連続して形成し、上記脚片１４の下端部に該下端部の両側端部を上向き三角形状に裂いて右方かつ上方に屈曲させた係合爪１５を形成する。また、上記腕辺１８の右端部を上向き円状に反転湾曲させて保持部１９を形成し、該保持部１９の端部を上向きに湾曲させて操作部２０を形成し、該操作部２０にドライバー等の工具が嵌合する長方形状の操作孔（図示省略）を形成する。
【００１０】
上記脚片１４の係合爪１５はリップ溝形鋼１１の側辺１１ｂの上下中間部に位置させる。また、係合爪１５の基部から下方に位置する脚片１４の下端部は上記係合爪１５よりも小さい角度で右方に屈曲させてガイド部１６とする。また、上記保持部１９はリップ溝形鋼１１の背辺１１ａの左右中間部に位置させ、その内径は前述した長尺物３０よりも若干小径とする。
【００１１】
次に上記第１実施例の使用態様について説明する。まず、取付け具１３の脚辺１４を前述した外壁１０とリップ溝形鋼１１との間隙部（ア）に上方から臨ませ、そのばね部１７の頭部をドライバーの背面あるいはハンマー等の工具で軽く打ちつつ、脚辺１４を上記間隙部（ア）に差し込み、その係合爪１５をリップ溝形鋼１１の左部の側辺１１ｂ、つまり外壁１０と対面する側辺１１ｂに圧接係合させるとともに、該取付け具１３の腕片１８を上記リップ溝形鋼１１の背辺１１ａ上面に当接させる。
【００１２】
次いで操作部２０の操作孔にドライバー等の工具を差し込んで該操作部２０を上方に引き上げて保持部１９の内径を拡大させ、電源用ケーブルからなる長尺物３０を該保持部１９内に嵌め、その後上記工具を取り外して保持部１９を小径に弾性復帰させて上記長尺物３０を挟持する。なお、上記作業に換え、先に長尺物３０を操作部２０に嵌合させた後、取付け具１３の脚辺１４を上記間隙部（ア）に差し込むようにしてもよい。以下、上記作業を繰り返し、上記長尺物３０を取付け具１３を介してリップ溝形鋼１１の背辺１１ａ上面に所定ピッチで係止する。
【００１３】
図３、図４は第２実施例を示す。図３、図４において、１３−１は帯状の鋼板材により形成した取付け具である。即ち、下方に延びる脚片２１の上端部に下方に向かって反転湾曲するばね部２４、該ばね部２４から右方（一側方）に延びる腕片２５を連続して形成し、上記脚片２１の下端部に前述と同様の係合爪２２、及びガイド部２３を形成する。
【００１４】
また、上記腕片２５の左右中間部に上向き円弧状に湾曲する保持部２６を形成し、該保持部２６の右端部を上向きに湾曲させて操作部２７を形成し、該操作部２７にドライバー等の工具が嵌合する長方形状の操作孔２８（図２）を形成する。上記保持部２６はリップ溝形鋼１１の背辺１１ａの左右中間部に位置させ、その湾曲形状は前述した長尺物３０の上部を包囲する湾曲形状とする。
【００１５】
上記第２実施例の使用態様について説明する。まず、長尺物３０をリップ溝形鋼１１の背辺１１ａ上面に沿って載置し、次いで上記取付け具１３−１の脚辺２１を前述した外壁１０とリップ溝形鋼１１との間隙部（ア）に上方から臨ませ、そのばね部２４の頭部をドライバーの背面あるいはハンマー等の工具で軽く打ちつつ、脚辺２１を上記間隙部（ア）に差し込み、脚辺２１の係合爪２２をリップ溝形鋼１１の左部の側辺１１ｂ、つまり外壁１０と対面する側辺１１ｂに圧接係合させる。同時に取付け具２１の保持部２６を上記長尺物３０の上部に嵌合させるとともに、該保持部２６により上記長尺物３０をリップ溝形鋼１１の背辺１１ａ上面に押圧係止する。
【００１６】
なお、上記作業に換え、取付け具１３−１の脚辺２１を先に上記間隙部（ア）に差し込み、次いで、操作部２７の操作孔２８にドライバー等の工具を差し込んで保持部２６を上方に弾性変形させ、該保持部２６の下方に長尺物３０を配置した後、上記工具を取り外して保持部２６を下方に弾性復帰させて上記長尺物３０をリップ溝形鋼１１の背辺１１ａ上面に押圧係止させるようにしてもよい。
【００１７】
【発明の効果】
以上説明した如く、請求項１に係る発明は、電源用ケーブルあるいは配管等の長尺物を下向きになっているリップ溝形鋼の背面（上面）側に容易に取り付けることができ、該取付け具により係止された電源用ケーブル等の長尺物はリップ溝形鋼広い背辺により安定して支持されることになる。
また、請求項２に係る発明は、上記腕片の外端部を脚片方向に向けて円状に湾曲させて保持部を形成するようにしたので、該保持部によりリップ溝形鋼の背面に取り付けた長尺物を確実に係止することができる。
【図面の簡単な説明】
【図１】本発明の第１実施例による取付け具の使用状態を示す一部断面正面図である。
【図２】本発明の第１実施例による取付け具の斜視図である。
【図３】本発明の第２実施例による取付け具の使用状態を示す一部断面正面図である。
【図４】本発明の第２実施例による取付け具の斜視図である。
【図５】従来例による取付け具の斜視図である。
【図６】従来の取付け具の使用状態を示す断面図である。
【符号の説明】
１０    外壁
１１    リップ溝形鋼
１１ａ  背辺
１１ｂ  側辺
１１ｃ  リップ辺
１３（１３−１）    取付け具
１４（２１）    脚片
１５（２２）    係合爪
１６（２３）    ガイド部
１７（２４）    ばね部
１８（２５）    腕片
１９（２６）    保持部
２０（２７）    操作部
２８            操作孔
３０    長尺物
【図１】
2004270706.tif 000003
【図２】
2004270706.tif 000004
【図３】
2004270706.tif 000005
【図４】
2004270706.tif 000006
【図５】
2004270706.tif 000007
【図６】
2004270706.tif 000008